(57)【要約】【課題】第１導光体と第２導光体との間に設けられたハーフミラーによって画像光を反射する場合に、第１導光体と第２導光体との間での屈折に起因するゴースト等の発生を抑制することのできる導光装置、および表示装置を提供すること。【解決手段】表示装置１００に用いた導光装置５０は、第１導光体６０と、第２導光体７０との間に複数の第１ハーフミラー８１を有している。第１ハーフミラー８１は、第１導光体６０において、第１方向Ａに沿って延在する第１面６１、および第２方向Ｂに沿って延在する第２面６２のうち、第１面６１に形成されている。第１導光体６０は、第１面６１と第２面６２との各間で、第２面６２の両側に位置する２つの第１面６１同士が重ならない第３方向Ｄに沿う方向で第２面６２に重なる第３面６３を備えており、第３面６３は、第１方向Ａと異なる方向に延在している。【選択図】図３
2019066813.tif 000002
【特許請求の範囲】
【請求項１】
各々が第１方向に沿って延在する複数の第１面、および前記複数の第１面のうち、隣り合う第１面の各間で各々が前記第１方向に交差する第２方向に沿って延在する複数の第２面を厚さ方向の一方側に備え、前記厚さ方向の他方側に端面を備えた第１導光体と、
各々が前記複数の第１面に接する複数の第１ハーフミラーと、
前記複数の第１ハーフミラー、および前記複数の第２面に接する第２導光体と、
を有し、
前記第１導光体は、前記複数の第１面および前記複数の第２面のうち、隣り合う第１面と第２面との各間で、第２面の両側に位置する２つの第１面同士が重ならない第３方向に沿う方向で、各々が前記第２面に重なる複数の第３面を備え、
前記複数の第３面は各々、前記第１方向と異なる方向に延在していることを特徴とする導光装置。
【請求項２】
請求項１に記載の導光装置において、
前記第１導光体の屈折率と前記第２導光体の屈折率とが相違していることを特徴とする導光装置。
【請求項３】
請求項１または２に記載の導光装置において、
前記第１導光体と前記第２導光体との間には、各々が前記複数の第３面に接する複数の第２ハーフミラーが設けられていることを特徴とする導光装置。
【請求項４】
請求項３に記載の導光装置において、
前記第１ハーフミラーの反射率と前記第２ハーフミラーの反射率とが等しいことを特徴とする導光装置。
【請求項５】
請求項３に記載の導光装置において、
前記第１ハーフミラーの反射率と前記第２ハーフミラーの反射率とが異なることを特徴とする導光装置。
【請求項６】
請求項１から５までの何れか一項に記載の導光装置において、
前記複数の第３面は各々、前記複数の第１面および前記複数の第２面のうち、隣り合う第１面と第２面との間で、前記第１面の前記厚さ方向の一方側の端部と前記第２面の前記厚さ方向の一方側の端部との各間に設けられていることを特徴とする導光装置。
【請求項７】
請求項６に記載の導光装置において、
前記第１導光体は、各々が、前記複数の第１面および前記複数の第２面のうち、隣り合う第１面と第２面との各間で、前記第１面の前記厚さ方向の他方側の端部と前記第２面の前記厚さ方向の他方側の端部との各間で前記第３方向に沿って延在する第４面を備えていることを特徴とする導光装置。
【請求項８】
請求項７に記載の導光装置において、
前記第１導光体と前記第２導光体との間には、各々が前記複数の第４面に接する複数の第３ハーフミラーが設けられていることを特徴とする導光装置。
【請求項９】
請求項１から８までの何れか一項に記載の導光装置において、
前記複数の第３面は各々、前記複数の第１面および前記複数の第２面が配列された方向に平行であることを特徴とする導光装置。
【請求項１０】
請求項１から８までの何れか一項に記載の導光装置において、
前記複数の第３面は各々、前記複数の第１面および前記複数の第２面が配列された方向に対して斜めに傾いた斜面であることを特徴とする導光装置。
【請求項１１】
請求項１から８までの何れか一項に記載の導光装置において、
前記複数の第３面は各々、前記第１面との第１境界、および前記第２面との第２境界との間の中央部分が前記第１境界および前記第２境界より突出した凸曲面、または前記中央部分が前記第１境界および前記第２境界より凹んだ凹曲面であることを特徴とする導光装置。
【請求項１２】
請求項１から１１までの何れか一項に記載の導光装置において、
前記第３方向は、前記第１ハーフミラーに入射した光線が前記第１ハーフミラーおよび前記第２面を透過して進行する方向であることを特徴とする導光装置。
【請求項１３】
請求項１から１２までの何れか一項に記載の導光装置において、
前記端面を基準としたときに前記複数の第１面の前記厚さ方向における位置が前記複数の第１面の配列方向に沿って変化していることを特徴とする導光装置。
【請求項１４】
請求項１から１３までの何れか一項に記載の導光装置において、
前記第１導光体と前記第２導光体との間には、各々が前記複数の第２面に接する複数の第４ハーフミラーが設けられていることを特徴とする導光装置。
【請求項１５】
請求項１から１４までの何れか一項に記載の導光装置において、
前記複数の第１面は各々、前記第２導光体の側に凹んだ凹曲面になっていることを特徴とする導光装置。
【請求項１６】
請求項１５に記載の導光装置において、
前記複数の第１面は各々、前記複数の第１面および前記複数の第２面が配列された方向に凹む凹曲面となるように、前記複数の第１面および前記複数の第２面が配列された方向に対して直交する方向に湾曲しながら延在していることを特徴とする導光装置。
【請求項１７】
請求項１６に記載の導光装置において、
前記第２面は、前記第１面に沿って湾曲していることを特徴とする導光装置。
【請求項１８】
請求項１５から１８の何れか一項に記載の導光装置において、
前記複数の第１面の各々の曲率は、前記複数の第１面および前記複数の第２面が配列された方向に沿って変化していることを特徴とする導光装置。
【請求項１９】
請求項１から１８までの何れか一項に記載の導光装置と、
画像光を出射する画像光出射装置を有し、
前記画像光は、前記第１導光体内で前記複数の第１面の各々に対して前記第３方向から入射することを特徴とする表示装置。
【請求項２０】
請求項１９に記載の表示装置において、
前記画像光は、前記第１導光体の前記端面から前記第１導光体内に入射することを特徴とする表示装置。
【請求項２１】
請求項１９または２０に記載の表示装置において、
前記画像光出射装置から前記第１導光体に向かう光路には、前記画像光出射装置から出射された前記画像光を前記第１導光体に導く導光光学系を有していることを特徴とする表示装置。
【発明の詳細な説明】
【技術分野】
【０００１】
本発明は、入射した光を所定方向に反射して出射する導光装置、および表示装置に関するものである。
【背景技術】
【０００２】
画像光出射装置から出射された画像光を、導光装置を介して観察者の眼の入射させる表示装置が提案されている（特許文献１、２参照）。かかる導光装置は、原理的には、図２０に示すように、第１導光体６０と第２導光体７０との間に反射層８０を設けた構成を有している。より具体的には、第１導光体６０は、各々が第１方向Ａに沿って延在する複数の第１面６１と、隣り合う第１面６１の各間で各々が第１方向に交差する第２方向Ｂに沿って延在する複数の第２面６２とを備えており、第１面６１に反射層８０が形成されている。従って、図２０に矢印Ｌ１で示すように、第１導光体６０内において、反射層８０に向けて進行する画像光Ｌ０を反射層８０によって観察者の眼に向けて反射することができる。
【０００３】
特許文献１、２では、反射層８０としてハーフミラーを採用することが提案されており、この場合、反射層８０（ハーフミラー）を介して外光を観察者の眼に到達させることができる。なお、特許文献１、２には、反射層８０（ハーフミラー）を第１面６１の一部に形成した態様が提案されており、かかる態様によれば、第１面６１において反射層８０が形成されていない領域を介して外光を観察者の眼に到達させることができる。
【先行技術文献】
【特許文献】
【０００４】
【特許文献１】特開２０１７−３２９２４号公報
【特許文献２】特開２０１６−１１０１０８号公報
【発明の概要】
【発明が解決しようとする課題】
【０００５】
しかしながら、反射層８０としてハーフミラーを用いた場合、図２０に矢印Ｌ２で示すように、画像光Ｌ０の一部は、反射層８０を透過した後、第２面６２を透過し、その後、隣の反射層８０によって観察者の眼に向けて反射される。その際、第１導光体６０の屈折率と第２導光体７０の屈折率とが相違すると、第１面６１での屈折、第２面６２での屈折、および第１導光体６０の端面６５での屈折の影響を受けて、矢印Ｌ２で示す光線は、矢印Ｌ１で示す光線と異なる方向から観察者の眼に向けて出射される。その結果、観察者は、矢印Ｌ２で示す光線に起因するゴーストを認識してしまう。
【０００６】
かかる問題は、第１導光体６０の屈折率ｎ１と第２導光体７０の屈折率ｎ２とを同一とすることによって解消することができる。しかしながら、例えば、反射層８０の傾き角度αが１５°で、光線角度θが３０°の場合、±２０°の水平画角において１９２０画素を表示する場合、ゴーストを１画素以下にするためには、第１導光体６０の屈折率ｎ１と第２導光体７０の屈折率ｎ２との差を０．０１２％以下とする必要があり、かかる要件を満たすことは、第１導光体６０および第２導光体７０に用いる材料を選択する際に大きな障害となる。
【０００７】
なお、特許文献１の図４（ａ）には、第１面６１と第２面６２との間に第１方向Ａと異なる方向に延在する第３面が形成された態様が記載されている。但し、特許文献１には、第３面と上記のゴーストとの関係については一切記載されていない。しかも、特許文献１の図２に示すように、反射層８０で観察者の眼に向けて画像光Ｌ０を出射するには、特許文献１の図２に記載された態様より、反射層８０に対する入射角度を大きくする必要があり、この場合、反射層８０を透過した光が、隣りの反射層８０によって観察者の眼に向けて反射される際、第１面６１での屈折、第２面６２での屈折、および第１導光体６０の端面６５での屈折の影響を受けてゴーストが発生する。
【０００８】
また、特許文献２には、第２面６２に光吸収層を塗布することが提案されているが、第２面６２のように垂直な壁面に対して、第１面６１と第２面６２とに挟まれた隙間の奥まで光吸収層を塗布することは容易ではない。
【０００９】
以上の問題点に鑑みて、本発明の課題は、第１導光体と第２導光体との間に設けられたハーフミラーによって画像光を反射する場合に、第１導光体と第２導光体との間での屈折に起因するゴースト等の発生を抑制することのできる導光装置、および表示装置を提供することにある。
【課題を解決するための手段】
【００１０】
上記課題を解決するために、本発明に係る導光装置の一態様は、各々が第１方向に沿って延在する複数の第１面、および前記複数の第１面のうち、隣り合う第１面の各間で各々が前記第１方向に交差する第２方向に沿って延在する複数の第２面を厚さ方向の一方側に備え、前記厚さ方向の他方側に端面を備えた第１導光体と、各々が前記複数の第１面に接する複数の第１ハーフミラーと、前記複数の第１ハーフミラー、および前記複数の第２面に接する第２導光体と、を有し、前記第１導光体は、前記複数の第１面および前記複数の第２面のうち、隣り合う第１面と第２面との各間で、第２面の両側に位置する２つの第１面同士が重ならない第３方向に沿う方向で、各々が前記第２面に重なる複数の第３面を備え、前記複数の第３面は各々、前記第１方向と異なる方向に延在していることを特徴とする。本発明において、「ハーフミラー」とは、反射性および透過性を有する層を意味しており、反射率が５０％である場合に限定されない。
【００１１】
本発明において、第１導光体内で第１面に向けて進行する光は、第１導光体内で第１面に向けて進行し、光の一部は、第１ハーフミラーで第２導光体とは反対側に向けて反射し、端面から出射される。その際、光の他の一部は第１ハーフミラーを透過する。また、厚さ方向の一方側から第１ハーフミラーに入射した外光の一部は、第１ハーフミラーを透過して端面から出射される。ここで、第１導光体は、第１面と第２面との間に、第１方向と異なる方向に延在する第３面を備えており、隣り合う第１面同士は、前記の第３方向で重なっていない。従って、第１ハーフミラーを透過した光は、第２面を透過した後、隣りの第１面（第１ハーフミラー）に入射せずに、第３面に入射するので、第１ハーフミラーを透過した光は、第１ハーフミラーを反射した光と異なる方向に出射される。それ故、導光装置を表示装置に用いた場合、第１導光体の屈折率と第２導光体の屈折率とが相違している場合でも、第１ハーフミラーを透過した画像光において第１面での屈折、第２面での屈折、および端面での屈折等が発生しても、かかる屈折に起因するゴーストが観察者に認識されにくい。
【００１２】
本発明において、前記第１導光体の屈折率と前記第２導光体の屈折率とが相違している態様を採用することができる。
【００１３】
本発明において、前記第１導光体と前記第２導光体との間には、各々が前記複数の第３面に接する複数の第２ハーフミラーが設けられている態様を採用することができる。かかる態様によれば、厚さ方向の一方側から第３面に入射した外光の一部は、第２ハーフミラーを透過して端面から出射される。また、第１ハーフミラーおよび第２面を透過した光が第３面に到達しても、かかる光が導光装置から厚さ方向の一方側に出射されることを抑制することができる。
【００１４】
本発明において、前記第１ハーフミラーの反射率と前記第２ハーフミラーの反射率とが等しい態様を採用することができる。かかる態様によれば、導光装置を透過する外光を均一にすることできる。また、外光が均一であれば、回折が発生しにくいので、観察者は鮮明な外光を観察することができる。
【００１５】
本発明において、前記第１ハーフミラーの反射率と前記第２ハーフミラーの反射率とが異なる態様を採用してもよい。例えば、第２ハーフミラーの反射率を第１ハーフミラーの反射率より小さくすると、ゴーストの光量を抑制することができる。
【００１６】
本発明において、前記複数の第３面は各々、前記複数の第１面および前記複数の第２面のうち、隣り合う第１面と第２面との間で、前記第１面の前記厚さ方向の一方側の端部と前記第２面の前記厚さ方向の一方側の端部との各間に設けられている態様を採用することができる。かかる態様によれば、第３面が第１面の厚さ方向の他方側の端部と第２面の厚さ方向の他方側の端部との間に設けられている場合より、厚さ方向の他方側での第１面の延在寸法を長くすることができるので、第１ハーフミラーで反射して端面から出射される光の量を増やすことができる。
【００１７】
本発明において、前記第１導光体は、各々が、前記複数の第１面および前記複数の第２面のうち、隣り合う第１面と第２面との各間で、前記第１面の前記厚さ方向の他方側の端部と前記第２面の前記厚さ方向の他方側の端部との各間で前記第３方向に沿って延在する第４面を備えている態様を採用することができる。かかる態様によれば、第３面の延在距離を短くすることができるので、厚さ方向の一方側での第１面の延在寸法を長くすることができる。従って、第１ハーフミラーで反射して端面から出射される光の量を増やすことができる。
【００１８】
本発明において、前記第１導光体と前記第２導光体との間には、各々が前記複数の第４面に接する複数の第３ハーフミラーが設けられている態様を採用することができる。
【００１９】
本発明において、前記複数の第３面は各々、前記複数の第１面および前記複数の第２面が配列された方向に平行である態様を採用することができる。
【００２０】
本発明において、前記複数の第３面は各々、前記複数の第１面および前記複数の第２面が配列された方向に対して斜めに傾いた斜面である態様を採用してもよい。
【００２１】
本発明において、前記複数の第３面は各々、前記第１面との第１境界、および前記第２面との第２境界との間の中央部分が前記第１境界および前記第２境界より突出した凸曲面、または前記中央部分が前記第１境界および前記第２境界より凹んだ凹曲面である態様を採用してもよい。
【００２２】
本発明において、前記第３方向は、前記第１ハーフミラーに入射した光線が前記第１ハーフミラーおよび前記第２面を透過して進行する方向である態様を採用することができる。かかる態様によれば、第１ハーフミラーの各々を透過した光を、第３面によって、第１ハーフミラーを反射した光と異なる方向に確実に反射することができる。
【００２３】
本発明において、前記端面を基準としたときに前記複数の第１面の前記厚さ方向における位置が前記複数の第１面の配列方向に沿って変化している態様を採用することができる。
【００２４】
本発明において、前記第１導光体と前記第２導光体との間には、各々が前記複数の第２面に接する複数の第４ハーフミラーが設けられている態様を採用することができる。
【００２５】
本発明において、前記複数の第１面は各々、前記第２導光体の側に凹んだ凹曲面になっている態様を採用することができる。かかる態様によれば、第１面に入射した光を集光するようなパワーを発揮することができる。
【００２６】
本発明において、前記複数の第１面は各々、前記複数の第１面および前記複数の第２面が配列された方向に凹む凹曲面となるように、前記複数の第１面および前記複数の第２面が配列された方向に対して直交する方向に湾曲しながら延在している態様を採用することができる。かかる態様によれば、第１面に入射した光を複数の第１面および複数の第２面が配列された方向に対して直交する方向において集光するパワーを発揮することができる。
【００２７】
この場合、前記第２面は、前記第１面に沿って湾曲している態様を採用することができる。かかる態様の場合、導光装置全体が湾曲することになるので、第１面が湾曲しても、第１導光体と第２導光体とが重なっている方向において、導光装置が厚くなることを抑制することができる。
【００２８】
本発明において、前記複数の第１面の各々の曲率は、前記複数の第１面および前記複数の第２面が配列された方向に沿って変化している態様を採用することができる。かかる態様によれば、複数の第１面および複数の第２面が配列された方向の各位置において、複数の第１面の各々が、光を適正に集光させるパワーを発揮することができる。
【００２９】
本発明に係る導光装置を備えた表示装置の一態様は、前記導光装置と、画像光を出射する画像光出射装置を有し、前記画像光は、前記第１導光体内で前記複数の第１面の各々に対して前記第３方向から入射することを特徴とする。
【００３０】
本発明において、前記画像光は、前記第１導光体の前記端面から前記第１導光体内に入射する態様を採用することができる。
【００３１】
本発明において、前記画像光出射装置から前記第１導光体に向かう光路には、前記画像光出射装置から出射された前記画像光を前記第１導光体に導く導光光学系を有している態様を採用することができる。
【図面の簡単な説明】
【００３２】
【図１】本発明の実施形態１に係る表示装置の外観の一態様を示す外観図。
【図２】図１に示す表示部の光学系の平面図。
【図３】図２に示す導光装置の説明図。
【図４】図２に示す導光装置の一部を拡大して示す説明図。
【図５】本発明の実施形態２に係る導光装置の説明図。
【図６】本発明の実施形態３に係る導光装置の説明図。
【図７】本発明の実施形態４に係る導光装置の説明図。
【図８】本発明の実施形態５に係る導光装置の説明図。
【図９】本発明の実施形態６に係る導光装置の説明図。
【図１０】本発明の実施形態７に係る導光装置の説明図。
【図１１】本発明の実施形態８に係る導光装置の説明図。
【図１２】図１１に示す導光装置の第１面等を拡大して示す説明図。
【図１３】本発明の実施形態９に係る導光装置の説明図。
【図１４】図１３に示す導光装置の第１面等を拡大して示す説明図。
【図１５】図１３に示す導光装置の第３面等の構成を示す説明図。
【図１６】本発明の実施形態１０に係る導光装置の第３面等の構成を示す説明図。
【図１７】本発明の実施形態１１に係る導光装置の説明図。
【図１８】本発明の実施形態１２に係る導光装置の説明図。
【図１９】本発明の実施形態１３に係る表示装置の説明図。
【図２０】本発明の参考例に係る導光装置の説明図。
【発明を実施するための形態】
【００３３】
以下、本発明の実施形態について、図面を参照して説明する。なお、以下の各図においては、各層や各部材を認識可能な程度の大きさにするため、各層や各部材の尺度や角度を実際とは異ならせしめている。
【００３４】
［実施形態１］
（全体構成）
図１は、本発明の実施形態１に係る表示装置１００の外観の一態様を示す外観図である。図２は、図１に示す表示部１０の光学系の平面図である。なお、図１および図２では、前後方向にＺを付し、横方向にＸを付し、上下方向にＹを付してある。また、前側にＺ１を付し、後側にＺ２を付し、上側にＹ１を付し、下側にＹ２を付してある。また、右眼用の表示部１０ａを示す図２では、右側（耳側）にＸ１を付し、左側（鼻側）にＸ２を付してある。また、図２では、画像光出射装置２０から出射される画像光Ｌ０として、画角の中央の光線と画角の両端の光線とを示してある。
【００３５】
図１に示す表示装置１００は、シースルー型のアイグラスディスプレイ等の頭部装着型表示装置であり、画像光Ｌ０ａを右眼Ｅａに入射させる右眼用の表示部１０ａと、画像光Ｌ０ｂを左眼Ｅｂに入射させる左眼用の表示部１０ｂとを有している。表示装置１００は、表示部１０ａ、１０ｂを保持するフレーム９０を有しており、フレーム９０は観察者の頭部に装着される。フレーム９０は、後述する右眼用導光装置５０ａ、および左眼用導光装置５０ｂを各々、保持する前部分９１を有しており、フレーム９０の右側のテンプル９２ａ、および左側のテンプル９２ｂの各々に、図２を参照して後述する画像光出射装置２０等が保持されている。
【００３６】
右眼用の表示部１０ａと左眼用の表示部１０ｂとは、同一の構成をもって左右対称に配置されている。従って、以下の説明では、右眼用の表示部１０ａを中心に説明し、左眼用の表示部１０ｂについては説明を省略する。また、以下の説明では、右眼用の表示部１０ａと左眼用の表示部１０ｂとを区別せずに、表示部１０として説明する。
【００３７】
図２に示すように、表示部１０（表示部１０ａ）は、画像光Ｌ０を出射する画像光出射装置２０と、画像光出射装置２０から出射された画像光Ｌ０を観察者の眼Ｅに向けて出射する導光装置５０とを有している。また、表示部１０は、画像光出射装置２０から導光装置５０に向かう光路に、画像光出射装置２０から出射された画像光Ｌ０を導光装置５０に向かわせる導光光学系３０を有している。導光装置５０は、眼Ｅの前側Ｚ１に配置され、画像光出射装置２０は側頭部に配置され、導光光学系３０は、画像光出射装置２０の前側に配置されている。
【００３８】
画像光出射装置２０は、有機エレクトロルミネッセンス表示素子等の表示パネル２１を備えている態様を採用することができる。かかる態様によれば、小型で高画質な画像表示が可能な表示部１０を提供することができる。また、画像光出射装置２０は、照明光源（図示せず）と、照明光源から出射された照明光を変調する液晶表示素子等の表示パネル２１とを備えている態様を採用してもよい。かかる態様によれば、照明光源の選択が可能なため、画像光Ｌ０の波長特性の自由度が広がるという利点がある。ここで、画像光出射装置２０は、カラー表示可能な１枚の表示パネル２１を有する態様を採用することができる。また、画像光出射装置２０は、各色に対応する複数の表示パネル２１と、複数の表示パネル２１から出射された各色の画像光を合成する合成光学系とを有する態様を採用してもよい。さらに、画像光出射装置２０は、レーザー光をマイクロミラーデバイスで変調する態様を採用してもよい。
【００３９】
導光光学系３０は、例えば、複数のレンズ３１、３２、３３と、ミラー３５とを有している。複数のレンズ３１、３２、３３は、投射系を構成しており、レンズ３２、３３のレンズ面は、例えば自由曲面である。ミラー３５は、レンズ３１、３２、３３を透過してきた画像光Ｌ０を、斜め後方から導光装置５０に向けて投射する。かかる導光光学系３０（投射光学系）によれば、画像光の中央、および画角の端部から出射された画像光Ｌ０の中心光軸を平行とすることができる。導光装置５０は、厚さ方向Ｔを前後方向Ｚに向けた板状部材である。
【００４０】
（導光装置５０の構成）
図３は、図２に示す導光装置５０の説明図である。図４は、図２に示す導光装置５０の一部を拡大して示す説明図である。図３および図４に示すように、導光装置５０は、板状の第１導光体６０と、第１導光体６０に対して厚さ方向Ｔの一方側Ｔ１に接着剤等によって接合された板状の第２導光体７０とを備えており、第１導光体６０および第２導光体７０は横方向Ｘに延在している。第１導光体６０は屈性率がｎ１の透光性部材からなり、第２導光体７０は屈性率がｎ２の透光性部材からなる。本形態において、第１導光体６０および第２導光体７０は透光性の樹脂からなり、第１導光体６０の屈性率ｎ１と第２導光体７０の屈性率ｎ２とは相違している。
【００４１】
第１導光体６０は、各々が第１方向Ａに沿って延在する複数の第１面６１と、複数の第１面６１のうち、隣り合う第１面６１の各間で各々が第１方向Ａに交差する第２方向Ｂに沿って延在する複数の第２面６２を厚さ方向Ｔの一方側Ｔ１に備え、厚さ方向Ｔの他方側Ｔ２には端面６５を有している。端面６５には反射防止層５１が形成されている。端面６５は、複数の第１面６１および複数の第２面６２が配列された方向Ｃ（横方向Ｘ）に平行であり、第１面６１が延在する第１方向Ａと、第２面６２が延在する第２方向Ｂは、端面６５に対して交差する方向である。なお、第２面６２については、上下方向Ｙに平行になっている態様、あるいは上下方向Ｙに対して傾斜している態様のいずれであってもよい。
【００４２】
導光装置５０では、各々が複数の第１面６１に接する複数の第１ハーフミラー８１が設けられており、第２導光体７０は、複数の第１ハーフミラー８１、および複数の第２面６２に接するように配置されている。第２導光体７０は、厚さ方向Ｔの一方側Ｔ１に端面７５を備えており、端面７５は、複数の第１面６１および複数の第２面６２が配列された方向Ｃ（横方向Ｘ）に平行である。
【００４３】
このように構成した表示部１０では、導光光学系３０から出射された画像光Ｌ０は、導光装置５０の第１導光体６０の端面６５に向けて横方向Ｘの一方側Ｘ１（耳側）から他方側Ｘ２（鼻側）に向けて斜めに進行し、端面６５から入射する。導光装置５０において、第１導光体６０の端面６５から入射した画像光Ｌ０は、第１導光体６０の内部で端面６５に対して斜め方向に進行し、第１面６１（第１ハーフミラー８１）に入射する。従って、画像光Ｌ０の一部は、矢印Ｌ１で示すように、第１ハーフミラー８１で第２導光体７０とは反対側に向けて反射し、端面６５から観察者の眼Ｅに向けて出射される。従って、観察者は画像を認識することができる。
【００４４】
それ故、第１面６１は、横方向Ｘの一方側Ｘ１が端面６５から離間し、横方向Ｘの他方側Ｘ２が端面６５に接近する方向に傾いている。また、図２に示すように、画像光Ｌ０のうち、画角の中央の光線は、端面６５のうち、横方向Ｘの中央部分に入射して横方向Ｘの中央部分から端面６５に対して直交する方向に向けて出射され、眼Ｅに到達する。これに対して、画像光Ｌ０のうち、画角の端部の光線は、端面６５のうち、横方向Ｘの端部側に入射して横方向Ｘの端部側から端面６５に対して斜め方向に向けて出射され、眼Ｅに到達する。従って、図４において、複数の第１面６１が各々、端面６５となす傾き角αは、横方向Ｘの一方側Ｘ１より他方側Ｘ２で大きくなっている。但し、複数の第２面６２が各々、端面６５となす角度βは、横方向Ｘにおいて一定になっている。それ故、本形態において、「第１方向Ａに沿う方向」は、複数の第１面６１に相違する一方、「第２方向Ｂに沿う方向」は、複数の第２面６２において同一である。
【００４５】
なお、導光装置５０において、厚さ方向Ｔの一方側Ｔ１（第２導光体７０側）から第１ハーフミラー８１に入射した外光の一部は、矢印Ｌ３で示すように、第１ハーフミラー８１を透過して端面６５から観察者の眼Ｅに向けて出射される。従って、観察者は外界の様子を認識することができる。
【００４６】
（第３面６３の構成）
このように構成した導光装置５０において、本形態では、図４に示すように、第１導光体６０は、複数の第１面６１および複数の第２面６２のうち、隣り合う第１面６１と第２面６２との間で、第１方向Ａおよび第２方向Ｂに対して交差する方向であって、第２面６２の両側に位置する２つの第１面６１同士が重ならない第３方向Ｄに沿う方向で、各々が第２面６２に重なる複数の第３面６３を備えている。また、複数の第３面６３は各々、第１方向Ａと異なる方向に延在している。
【００４７】
本形態において、複数の第３面６３は各々、複数の第１面６１および複数の第２面６２のうち、隣り合う第１面６１と第２面６２との間で、第１面６１の厚さ方向Ｔの一方側Ｔ１の端部６１１と第２面６２の厚さ方向Ｔの一方側Ｔ１の端部６２１との各間に設けられている。また、複数の第３面６３は各々、複数の第１面６１および複数の第２面６２が配列された方向Ｃに平行である。すなわち、複数の第３面６３は各々、第１導光体６０の端面６５、および第２導光体７０の端面７５に対して平行である。
【００４８】
このように構成した導光装置５０において、第３方向Ｄ（第２面６２と第３面６３とが重なる方向）は、複数の第１ハーフミラー８１の各々に画像光Ｌ０に入射する方向であり、画像光Ｌ０が第１ハーフミラー８１を透過した後、第２面６２を透過して進行する方向と等しい。
【００４９】
本形態において、第１導光体６０と第２導光体７０との間には、各々が複数の第３面６３に接する複数の第２ハーフミラー８２が設けられている。従って、第２導光体７０は、複数の第１ハーフミラー８１、複数の第２面６２、および複数の第２ハーフミラー８２に接するように配置されている。第２ハーフミラー８２と第１ハーフミラー８１とは繋がっている。本形態において、第１ハーフミラー８１と第２ハーフミラー８２とは同一の層構成を有しており、反射率が等しい。このため、矢印Ｌ３で示す外光を均一にすることできる。また、外光が均一であれば、回折が発生しにくいので、観察者は鮮明な外光を観察することができる。
【００５０】
このように構成した導光装置５０の製造工程では、金型成形によって第１面６１、第２面６２および第３面６３を備えた第１導光体６０を形成した後、フォトリソグラフィー技術を用いて第１面６１および第３面６３を覆うように第１ハーフミラー８１および第２ハーフミラー８２を選択的に形成する。次に、第１ハーフミラー８１、第２面６２、および第２ハーフミラー８２を覆うように透光性の樹脂を設けた後、樹脂を固化させて第２導光体７０を形成する。次に、第２導光体７０の第１導光体６０とは反対側の面を平坦化し、端面７５を形成する。第１ハーフミラー８１および第２ハーフミラー８２は各々、誘電体多層膜や、アルミニウム薄膜等の金属薄膜からなる。本形態において、第１ハーフミラー８１および第２ハーフミラー８２は各々、誘電体多層膜からなる。
【００５１】
また、透光性の樹脂に対して、第１面６１、第２面６２および第３面６３に対応する成形面を備えた金型を押圧した後、樹脂を固化させて第１導光体６０を形成する方法を採用してもよい。この場合も、フォトリソグラフィー技術を用いて第１面６１および第３面６３を覆うように第１ハーフミラー８１および第２ハーフミラー８２を選択的に形成する。次に、第１ハーフミラー８１、第２面６２、および第２ハーフミラー８２を覆うように透光性の樹脂を設け、樹脂を固化させて第２導光体７０を形成する。次に、第２導光体７０の第１導光体６０とは反対側の面を平坦化し、端面７５を形成する。
【００５２】
（本形態の主な効果）
以上説明したように、本形態の導光装置５０および表示部１０（表示装置１００）において、導光装置５０の第１導光体６０は、第１方向Ａおよび第２方向Ｂに対して交差する第３方向Ｄで重なる領域に第１方向Ａと異なる方向に延在する第３面６３を備えており、隣り合う第１面６１同士は、第３方向Ｄで重なっていない。従って、第１面６１に入射した画像光Ｌ０の一部は、第１ハーフミラー８１を透過した後、第２面６２を透過し、その後、隣りの第１面６１（第１ハーフミラー８１）に入射せずに、第３面６３に入射する。それ故、第１ハーフミラー８１を透過した光は、矢印Ｌ２で示すように、第１ハーフミラー８１を反射した光と異なる方向に出射され、観察者の眼Ｅに入射しない。それ故、第１導光体６０の屈折率ｎ１と第２導光体７０の屈折率ｎ２とが相違している場合でも、第１ハーフミラー８１を透過した画像光Ｌ０において第１面６１での屈折、第２面６２での屈折、および端面６５での屈折等が発生しても、かかる屈折に起因するゴーストが観察者に認識されにくい。
【００５３】
また、第３面６３には第２ハーフミラー８２が設けられているため、厚さ方向Ｔの一方側Ｔ１から第３面６３に入射した外光の一部は、第２ハーフミラー８２を透過して第１導光体６０の端面６５から出射されて、観察者の眼に到達する。また、第１ハーフミラー８１および第２面６２を透過した画像光Ｌ０が第３面６３に到達しても、かかる光が導光装置５０から厚さ方向Ｔの一方側Ｔ１に出射されることを抑制することができる。
【００５４】
また、第３面６３は、第１面６１の厚さ方向Ｔの一方側Ｔ１の端部６１１と第２面６２の厚さ方向Ｔの一方側Ｔ１の端部６２１との各間に設けられている。このため、第３面６３が、第１面６１の厚さ方向Ｔの他方側Ｔ２の端部６１２と第２面６２の厚さ方向Ｔの他方側Ｔ２の端部６２２との各間に設けられている場合より、厚さ方向Ｔの一方側Ｔ１での第１面６１の延在寸法を長くすることができる。従って、第１ハーフミラー８１で反射して端面６５から出射される光の量を増やすことができる。
【００５５】
なお、本形態では、第３方向Ｄで第２面６２と重なる領域の全体を第３面６３としたが、第３方向Ｄで第２面６２と重なる領域の一部を第３面６３とした場合でも、ゴーストの発生を低減することができる。例えば、明るい環境での使用が想定されている場合には、ゴーストと外部環境の明るさの比率は小さくなるので、第３方向Ｄで第２面６２と重なる領域の一部を第３面６３とすることによって、ゴーストの発生を十分に低減することができる。これに対して、暗い環境で使用する場合には、ゴーストが目立ちやすいので、本形態のように、第３方向Ｄで第２面６２と重なる領域の全体を第３面６３とすることが好ましい。但し、第３方向Ｄで第２面６２と重なる領域より広い範囲を第３面６３とした場合、画像が暗くなるので、第３方向Ｄで第２面６２と重なる領域と同一あるいが狭い範囲を第３面６３とすることが好ましい。
【００５６】
［実施形態１の変形例１］
実施形態１では、第１ハーフミラー８１の反射率と第２ハーフミラー８２の反射率とが等しかったが、第１ハーフミラー８１の反射率と第２ハーフミラー８２の反射率とが異なっていてもよい。例えば、第２ハーフミラー８２の反射率を第１ハーフミラー８１の反射率より小さくすると、矢印Ｌ２で示される光線に起因するゴーストの光量を抑制することができる。かかる構成は、実施形態１に限らず、以下に説明する各実施形態に適用してもよい。
【００５７】
［実施形態１の変形例２］
実施形態１では、第２面６２にハーフミラーが形成されていなかったが、第２面６２に接するようにハーフミラー（第４ハーフミラー）を設けてもよい。第４ハーフミラーは、第１ハーフミラー８１および第２ハーフミラー８２と同一あるいは異なる構成の層からなる。かかる構成は、実施形態１に限らず、以下に説明する各実施形態に適用してもよい。
【００５８】
［実施形態２］
図５は、本発明の実施形態２に係る導光装置５０の説明図である。なお、本形態および後述する実施形態の基本的な構成は実施形態１と同様であるため、共通する部分には同一の符号を付してそれらの説明を省略する。
【００５９】
実施形態１では、第３面６３が第１導光体６０の端面６５および第２導光体７０の端面７５に対して平行であったが、図５に示すように、第３面６３は、第１導光体６０の端面６５および第２導光体７０の端面７５に対して傾いている。本形態において、第３面６３は、第１面６１との第１境界６３１（第１面６１の厚さ方向Ｔの一方側Ｔ１の端部６１１）が第２面６２との第２境界６３２（第２面６２の厚さ方向Ｔの一方側Ｔ１の端部６２１）より端面６５の側に位置するように傾いている。このように構成した場合、第１ハーフミラー８１を透過した光は、矢印Ｌ２で示すように、第３面６３の第２ハーフミラー８２によって、第１導光体６０内で画像光Ｌ０が進行する方向とは逆方向に反射される。このため、第１ハーフミラー８１を透過した光は、実施形態１より観察者の眼Ｅに入射しにくいので、ゴーストが観察者に認識されにくい。
【００６０】
［実施形態３］
図６は、本発明の実施形態３に係る導光装置５０の説明図である。図６に示すように、本形態でも、第３面６３は、第１導光体６０の端面６５および第２導光体７０の端面７５に対して傾いている。本形態において、第３面６３は、第１面６１との第１境界６３１が第２面６２との第２境界６３２より端面６５から離間するように傾いている。このように構成した場合、第１ハーフミラー８１を透過した光は、矢印Ｌ２で示すように、第３面６３の第２ハーフミラー８２によって、第１ハーフミラー８１で反射した光から大きく離間する方向に反射される。このため、第１ハーフミラー８１を透過した光は、実施形態１より観察者の眼Ｅに入射しにくいので、ゴーストが観察者に認識されにくい。
【００６１】
［実施形態４］
図７は、本発明の実施形態４に係る導光装置５０の説明図である。実施形態１、２、３では、第３面６３が平面であったが、図７に示すように、第３面６３は、曲面であってもよい。本形態において、第３面６３は、第１面６１との第１境界６３１と、第２面６２との第２境界６３２との間の中央部分が第１境界６３１および第２境界６３２より突出した凸曲面になっている。このように構成した場合、第１ハーフミラー８１を透過した光は、第３面６３で分散して反射される。従って、第３面６３を平面とした場合と違って、第１ハーフミラー８１を透過した光は、第３面６３の傾き等にかかわらず、観察者の眼Ｅに入射しにくいので、ゴーストが観察者に認識されにくい。
【００６２】
［実施形態５］
図８は、本発明の実施形態５に係る導光装置５０の説明図である。図８に示すように、本形態において、第３面６３は、第１面６１との第１境界６３１と、第２面６２との第２境界６３２との間の中央部分が第１境界６３１および第２境界６３２より凹んだ凹曲面になっている。このように構成した場合、第１ハーフミラー８１を透過した光は、第３面６３で分散して反射される。従って、第３面６３を平面とした場合と違って、第１ハーフミラー８１を透過した光は、第３面６３の傾き等にかかわらず、観察者の眼Ｅに入射しにくいので、ゴーストが観察者に認識されにくい。
【００６３】
［実施形態６］
図９は、本発明の実施形態６に係る導光装置５０の説明図である。図９に示すように、本形態において、第１導光体６０は、各々が、複数の第１面６１および複数の第２面６２のうち、隣り合う第１面６１と第２面６２との各間で、第１面６１の厚さ方向Ｔの他方側Ｔ２の端部６１２と第２面６２の厚さ方向Ｔの他方側Ｔ２の端部６２２との各間で第３方向Ｄに延在する第４面６４を備えている。また、第４面６４には第３ハーフミラー８３が形成されており、第３ハーフミラー８３は第１ハーフミラー８１と繋がっている。第３ハーフミラー８３は、第１ハーフミラー８１および第２ハーフミラー８２と同一あるいは異なる構成の層からなる。
【００６４】
このように構成した場合、第２面６２の第２方向Ｂにおける寸法が短くすることができるので、第３面６３の延在距離を短くすることができる。従って、厚さ方向Ｔの一方側Ｔ１での第１面６１の延在寸法を長くすることができるので、第１ハーフミラー８１で反射して端面６５から出射される光の量を増やすことができる。なお、本形態は、実施形態１をベースに第４面６４を設けたが、実施形態２〜５をベースに第４面６４を設けてもよい。
【００６５】
［実施形態７］
図１０は、本発明の実施形態７に係る導光装置５０の説明図である。実施形態１〜６では、端面６５を基準としたときに複数の第１面６１（第１ハーフミラー８１）の厚さ方向Ｔにおける位置が同一であったが、図１０に示すように、端面６５を基準としたときに複数の第１面６１（第１ハーフミラー８１）の厚さ方向Ｔにおける位置が複数の第１面６１の配列方向に沿って変化している。より具体的には、横方向Ｘの他方側Ｘ２に設けられた第１面６１は、横方向Ｘの一方側Ｘ１に設けられた第１面６１より端面６５に近い位置にある。かかる構成に対応して、複数の第２面６２の第２方向Ｂにおける寸法も、複数の第１面６１の配列方向に沿って変化している。より具体的には、横方向Ｘの他方側Ｘ２に設けられた第２面６２は、横方向Ｘの一方側Ｘ１に設けられた第２面６２より、第２方向Ｂにおける寸法が短くなっている。その結果、第３面６３の長さも、複数の第１面６１の配列方向に沿って変化している。より具体的には、横方向Ｘの他方側Ｘ２に設けられた第３面６３は、横方向Ｘの一方側Ｘ１に設けられた第３面６３より、複数の第１面６１の配列方向における寸法が短くなっている。
【００６６】
このように構成した場合も、第１ハーフミラー８１を透過した光は、第１ハーフミラー８１を反射した光と異なる方向に出射され、観察者の眼Ｅに入射しないので、ゴーストの発生を抑制することができる。なお、本形態は、実施形態１をベースに第１面６１の位置を変化させたが、実施形態２〜６をベースに第１面６１の位置を変化させてもよい。
【００６７】
［実施形態８］
図１１は、本発明の実施形態８に係る導光装置５０の説明図であり、図１１には、第１導光体６０の図示を省略した状態の斜視図（ａ）、および正面図（ｂ）を示してある。図１２は、図１１に示す導光装置５０の第１面６１等を拡大して示す説明図である。
【００６８】
図１１および図１２に示すように、本形態の導光装置５０では、複数の第１面６１が各々、第２導光体７０の側に凹んだ凹曲面になっている。本形態において、複数の第１面６１は各々、横方向Ｘに対して直交する方向（上下方向Ｙ）に湾曲しながら延在した凹曲面になっている。従って、複数の第１面６１は各々、複数の第１面６１および複数の第２面６２が配列された方向（横方向Ｘ）にも凹んでいる。本形態では、第２面６２も、第１面６１に沿って上下方向Ｙに湾曲しながら延在している。また、第３面６３も、第１面６１および第２面６２に沿って上下方向Ｙに湾曲しながら延在している。従って、導光装置５０の全体が上下方向Ｙに湾曲しながら延在している。それ故、第１面６１を湾曲させても、導光装置５０の厚さ（前後方向Ｚの厚さ／第１導光体６０と第２導光体７０とが重なっている方向の寸法）が増大することを抑制することができる。
【００６９】
本形態において、複数の第１面６１の曲率が等しい。但し、複数の第１面６１の幅は、横方向Ｘに沿って変化している。
【００７０】
かかる構成の導光装置５０によれば、第１面６１に入射した光を上下方向Ｙに集光するパワーを発揮することができるので、導光装置５０に入射した光を観察者の眼に効率よく入射させることができる。
【００７１】
［実施形態９］
図１３は、本発明の実施形態９に係る導光装置５０の説明図であり、図１３には、第１導光体６０の図示を省略した状態の斜視図（ａ）、および正面図（ｂ）を示してある。図１４は、図１３に示す導光装置５０の第１面６１等を拡大して示す説明図である。図１５は、図１３に示す導光装置５０の第３面６３等の構成を示す説明図であり、図１５には、第３面６３の幅を示す正面図（ａ）、Ａ１−Ａ１′断面図（ｂ）、およびＢ１−Ｂ１′断面図を示してある。なお、図１３の正面図（ａ）では、第３面６３に斜線を付してある。
【００７２】
図１３、図１４および図１５に示すように、本形態の導光装置５０でも、実施形態８と同様、複数の第１面６１が各々、第２導光体７０の側に凹んだ凹曲面になっている。本形態において、複数の第１面６１は各々、横方向Ｘに対して直交する方向（上下方向Ｙ）に湾曲しながら延在した凹曲面になっている。従って、複数の第１面６１は各々、複数の第１面６１および複数の第２面６２が配列された方向（横方向Ｘ）にも凹んでいる。本形態では、第２面６２も、第１面６１に沿って上下方向Ｙに湾曲しながら延在している。また、第３面６３も、第１面６１および第２面６２に沿って上下方向Ｙに湾曲しながら延在している。
【００７３】
ここで、複数の第１面６１では、横方向Ｘの右側Ｘ１から左側Ｘ２に向かって、第１面６１の曲率が小さくなっている。すなわち、第１面６１の各曲率をＣ１、Ｃ２、Ｃ３とした場合、曲率の大きさは、曲率Ｃ１、曲率Ｃ２、曲率Ｃ３の順である。また、第２面６２および第３面６３は、隣り合う第１面６１に沿うように湾曲している。
【００７４】
本形態において、曲率が異なる第１面６１の間において、第２面６２は、上下方向Ｙの両端において幅が広く、中央部分では狭くなっている。かかる形状に対応して、第３面６３も、上下方向Ｙの両端において幅が広く、中央部分では狭くなっている。
【００７５】
［実施形態１０］
図１６は、本発明の実施形態１０に係る導光装置５０の第３面６３等の構成を示す説明図であり、図１６には、第３面６３の幅を示す正面図（ａ）、Ａ１−Ａ１′断面図（ｂ）、およびＢ１−Ｂ１′断面図を示してある。なお、図１６の正面図（ａ）では、第３面６３に斜線を付してある。図１６に示すように、本形態の導光装置５０でも、実施形態８、９と同様、複数の第１面６１が各々、第２導光体７０の側に凹んだ凹曲面になっている。本形態において、複数の第１面６１は各々、横方向Ｘに対して直交する方向（上下方向Ｙ）に湾曲しながら延在した凹曲面になっている。従って、複数の第１面６１は各々、複数の第１面６１および複数の第２面６２が配列された方向（横方向Ｘ）にも凹んでいる。本形態では、第２面６２も、第１面６１に沿って上下方向Ｙに湾曲しながら延在している。また、第３面６３も、第１面６１および第２面６２に沿って上下方向Ｙに湾曲しながら延在している。
【００７６】
ここで、複数の第１面６１の各々の曲率は、横方向Ｘの右側Ｘ１から左側Ｘ２に向かって、第１面６１の曲率が大きくなっている。すなわち、第１面６１の各曲率をＣ１、Ｃ２、Ｃ３とした場合、曲率の大きさは、曲率Ｃ３、曲率Ｃ２、曲率Ｃ１の順である。また、第２面６２および第３面６３は、隣り合う第１面６１に沿うように湾曲している。
【００７７】
本形態において、曲率が異なる第１面６１の間において、第２面６２は、上下方向Ｙの両端において幅が狭く、中央部分では広くなっている。かかる形状に対応して、第３面６３も、上下方向Ｙの両端において幅が狭く、中央部分では広くなっている。なお、実施形態８、９、１０で説明した態様は、本発明の実施形態１に対して適用できる他、本発明のいずれの実施形態に適用してもよい。
【００７８】
［実施形態１１］
図１７は、本発明の実施形態１１に係る導光装置５０の説明図である。図１７に示すように、実施形態８〜１０では、複数の第１面６１が各々、複数の第１面６１および複数の第２面６２が配列された方向（横方向Ｘ）に凹む凹曲面となるように、横方向Ｘに直交する方向（上下方向Ｙ）に湾曲しながら延在していたが、図１７に示すように、複数の第１面６１が各々、複数の第１面６１および複数の第２面６２が配列された方向（横方向Ｘ）に湾曲しながら延在している態様であってもよい。
【００７９】
［実施形態１２］
図１８は、本発明の実施形態１２に係る導光装置５０の説明図である。図１８に示すように、導光装置５０全体が複数の第１面６１および複数の第２面６２が配列された方向（横方向Ｘ）に湾曲しながら延在している態様であってもよい。
【００８０】
［実施形態１３］
図１９は、本発明の実施形態１３に係る表示装置１００の説明図である。実施形態１〜７では、導光装置５０において画像光Ｌ０を横方向Ｘに進行させたが、図１９に示すように、本形態では、導光装置５０において画像光Ｌ０を上下方向Ｙにおいて、上側Ｙ１から下側Ｙ２に進行させて観察者の眼Ｅに出射する場合に本発明を適用してもよい。
【００８１】
［他の実施形態］
上記実施形態では、第３面６３が第１面６１の厚さ方向Ｔの一方側Ｔ１の端部６１１と第２面６２の厚さ方向Ｔの一方側Ｔ１の端部６２１との各間に設けられていたが、第３面６３が、第１面６１の厚さ方向Ｔの他方側Ｔ２の端部６１２と第２面６２の厚さ方向Ｔの他方側Ｔ２の端部６２２との各間に設けられている態様であってもよい。また、第３面６３が第１面６１の厚さ方向Ｔの一方側Ｔ１の端部６１１と第２面６２の厚さ方向Ｔの一方側Ｔ１の端部６２１との各間、および第３面６３が、第１面６１の厚さ方向Ｔの他方側Ｔ２の端部６１２と第２面６２の厚さ方向Ｔの他方側Ｔ２の端部６２２との各間の双方に設けられている態様であってもよい。
【００８２】
上記実施形態では、第２導光体７０が透光性の樹脂部材であったが、第２導光体７０は空気層であってもよい。
【符号の説明】
【００８３】
１０、１０ａ、１０ｂ…表示部、２０…画像光出射装置、２１…表示パネル、３０…導光光学系、３１、３２、３３、３４…レンズ、３５…ミラー、５０…導光装置、５０ａ…右眼用導光装置、５０ｂ…左眼用導光装置、５１…反射防止層、６０…第１導光体、６１…第１面、６２…第２面、６３…第３面、６４…第４面、６５、７５…端面、７０…第２導光体、８１…第１ハーフミラー、８２…第２ハーフミラー、８３…第３ハーフミラー、９０…フレーム、９１…前部分、９２ａ、９２ｂ…テンプル、１００…表示装置、６１１、６２１…一方側の端部、６１２、６２２…他方側の端部、６３１…第１境界、６３２…第２境界、Ａ…第１方向、Ｂ…第２方向、Ｔ…厚さ方向、Ｄ…第３方向、Ｅ…眼、Ｌ０、Ｌ０ａ、Ｌ０ｂ…画像光。
【図１】
2019066813.tif 000003
【図２】
2019066813.tif 000004
【図３】
2019066813.tif 000005
【図４】
2019066813.tif 000006
【図５】
2019066813.tif 000007
【図６】
2019066813.tif 000008
【図７】
2019066813.tif 000009
【図８】
2019066813.tif 000010
【図９】
2019066813.tif 000011
【図１０】
2019066813.tif 000012
【図１１】
2019066813.tif 000013
【図１２】
2019066813.tif 000014
【図１３】
2019066813.tif 000015
【図１４】
2019066813.tif 000016
【図１５】
2019066813.tif 000017
【図１６】
2019066813.tif 000018
【図１７】
2019066813.tif 000019
【図１８】
2019066813.tif 000020
【図１９】
2019066813.tif 000021
【図２０】
2019066813.tif 000022